(57)【要約】  本発明のアニオンのスクリーニング方法は、化学増幅型レジストに使用されるＰＡＧを構成するアニオンを選別するための方法であり、構成要素となりうるアニオン群について、アニオンとその酸からなる化合物群に対して分子軌道計算を用い、化合物群の最安定構造を求める構造最適化工程と、最安定構造の化合物群に対して基準振動解析を行い、酸解離反応の自由エネルギー変化（ΔＧ）を算出する第１算出工程と、最安定構造の化合物群に対して吸収特性評価を行い、化合物群の吸収スペクトルを算出する第２算出工程と、上記算出した結果に基づいて、ΔＧが２９８ｋｃａｌ／ｍｏｌ以下を満たし、かつ露光を行う波長をλ［ｎｍ］とし、λ±１０ｎｍの範囲におけるモル吸光係数をεとするとき、酸とアニオンがともにεが２００００L/(mol cm)以下を満たす化合物を化合物群から選別する工程とを含む。この方法により、ＰＡＧにおけるアニオン分子を効率良く開発することができる。
2012132529.tif 000002
【特許請求の範囲】
【請求項１】
化学増幅型レジストに使用される光酸発生剤を構成するアニオンを選別するためのスクリーニング方法であって、
前記光酸発生剤の構成要素となりうるアニオン群について、アニオンとその酸からなる化合物群に対して分子軌道計算を用い、前記化合物群の最安定構造を求める構造最適化工程と、
前記最安定構造の化合物群に対して基準振動解析を行い、それぞれの酸解離反応の自由エネルギー変化（ΔＧ）を算出する第１算出工程と、
前記最安定構造の化合物群に対して吸収特性評価を行い、前記化合物群の吸収スペクトルを算出する第２算出工程と、
前記第１及び第２算出工程でそれぞれ算出した結果に基づいて、自由エネルギー変化（ΔＧ）が２９８ｋｃａｌ／ｍｏｌ以下を満たし、かつ露光を行う波長をλ［ｎｍ］とし、λ±１０ｎｍの範囲におけるモル吸光係数をεとするとき、酸とアニオンがともにεが２００００L/(mol cm)以下を満たす化合物を前記化合物群から選別する工程と
を含むことを特徴とするアニオンのスクリーニング方法。
【請求項２】
前記酸解離反応の自由エネルギー変化（ΔＧ）の算出が、
前記最安定構造の化合物群のそれぞれのアニオン（Ａ-）及びその酸（ＨＡ）に対して基準振動解析を行って自由エネルギーＧ（Ａ-）及びＧ（ＨＡ）を算出し、
前記算出したＧ（Ａ-）及びＧ（ＨＡ）と、水素イオン（Ｈ+）の自由エネルギーＧ（Ｈ+）から、次の式（１）に示す式を用いて酸解離反応の自由エネルギー変化ΔＧを求めることにより行われる請求項１記載のスクリーニング方法。
ΔＧ ＝ ［Ｇ（Ｈ+） ＋ Ｇ（Ａ-）］ − Ｇ（ＨＡ）    （１）
【請求項３】
前記吸収特性評価による吸収スペクトルの算出が、
前記最安定構造の化合物群のそれぞれのアニオン（Ａ-）及びその酸（ＨＡ）に対して励起状態の計算を行って分子の吸収が起こる波長とその吸収における振動子強度を算出し、
前記算出した吸収波長と振動子強度から、次の式（２）に示す式を用いて吸収スペクトルへの変換を行うことにより行われる請求項１記載のスクリーニング方法。
【数１】
2012132529.tif 000007
但し、上記式（２）中の、εｎ（λ）はｎ番目の吸収におけるモル吸光係数であり、ｆｎはｎ番目の吸収における振動子強度であり、λｎはｎ番目における吸収の吸収波長であって、前記励起状態計算から算出される値である。ここでｎは最も長波長の吸収を１番目として数える。また、ｈはプランク定数であり、ｃは光速である。また、α＝２．２３×１０-24、δ＝０．３３である。
【請求項４】
前記アニオン群がフッ素を含んでいる請求項１記載のスクリーニング方法。
【請求項５】
前記アニオン群が置換基を導入し易い基を有している請求項１記載のスクリーニング方法。
【請求項６】
請求項１ないし５いずれか１項に記載のスクリーニング方法を用いて前記アニオン群から選別されたアニオンと、Ｌｉ，Ｎａ又はＫから選ばれた金属とから構成される化合物の製造方法。
【請求項７】
請求項１ないし５いずれか１項に記載のスクリーニング方法を用いて前記アニオン群から選別されたアニオンと、Ｌｉ，Ｎａ又はＫから選ばれた金属とから構成された光酸発生剤の前駆体である金属塩。
【請求項８】
請求項１ないし５いずれか１項に記載のスクリーニング方法を用いて前記アニオン群から選別されたアニオン及びその酸から構成された光酸発生剤の前駆体である塩。
【発明の詳細な説明】
【技術分野】
【０００１】
本発明は、微細加工工程の化学増幅型レジストに使用される光酸発生剤を構成するアニオン分子を効率良く開発・製造するためのスクリーニング方法に関する。
【背景技術】
【０００２】
現在半導体微細加工技術として、ＡｒＦエキシマレーザー（波長１９３ｎｍ）等を露光光源とするフォトリソグラフィーでは、化学増幅型レジストが用いられている。【０００３】
化学増幅型レジストでは、遠紫外光等の放射線照射による露光でレジスト中に含ませた光酸発生剤（Photo Acid Generator；以下、ＰＡＧという。）から強酸を発生させ、この強酸を触媒とするレジスト樹脂中の官能基の極性変化や架橋反応を利用して、照射部と非照射部の現像液に対する溶解性を変化させ、パターンを基板上に形成させる。【０００４】
ＰＡＧは光を照射することにより酸を発生する機能を持つ感光剤であり、ＰＡＧに求められる物性や機能としては、酸発生効率（光吸収効率、光分解の量子効率）、レジスト樹脂中での分散性、発生酸の酸性度、発生酸の拡散性等が挙げられ、これらの諸特性が優れた材料が求められている。【０００５】
その用途や目的に合わせて、効率の良い微細加工のために、現在も更に特性の優れたＰＡＧの開発が行われている（例えば、特許文献１〜３参照。）。【０００６】
ＰＡＧは照射した光を吸収する部分と酸の発生源となる部分から構成され、イオン性を示すものと非イオン性を示すものがある。イオン性ＰＡＧは、カチオンとアニオンから構成され、用途や目的、要求性能に合わせてカチオンとアニオンが適宜選択される。カチオン部は照射された光を吸収する役割を果たす。また、アニオン部はレジスト樹脂と反応する酸触媒の役割を果たす酸の発生源となるため重要である。
【先行技術文献】
【特許文献】
【０００７】
【特許文献１】特許第４４９１３３５号公報（請求項１〜１２）
【特許文献２】特開２０１０−２８２１８９号公報（請求項１〜４）
【特許文献３】特開２０１１−１３４７９号公報（請求項１〜４）
【発明の概要】
【発明が解決しようとする課題】
【０００８】
フォトレジストにおいて、露光によりＰＡＧはアニオンとカチオンに解離し、解離したアニオンは酸として働くが、その酸は一般的に超強酸であり、取扱いが容易ではないので、酸化合物そのものの性能評価を実験にて行うことは非常に難しい。【０００９】
一方、ＰＡＧを合成して材料の評価を行うにも、露光装置等が必要で、ターゲット分子の合成から評価までに時間とコストがかかっていた。【００１０】
本発明の目的は、ＰＡＧにおけるアニオン分子を効率良く開発・製造するためのスクリーニング方法を提供することにある。
【課題を解決するための手段】
【００１１】
本発明の第１の観点は、化学増幅型レジストに使用されるＰＡＧを構成するアニオンを選別するためのスクリーニング方法であって、ＰＡＧの構成要素となりうるアニオン群について、アニオンとその酸からなる化合物群に対して分子軌道計算を用い、化合物群の最安定構造を求める構造最適化工程と、最安定構造の化合物群に対して基準振動解析を行い、それぞれの酸解離反応の自由エネルギー変化（ΔＧ）を算出する第１算出工程と、最安定構造の化合物群に対して吸収特性評価を行い、化合物群の吸収スペクトルを算出する第２算出工程と、第１及び第２算出工程でそれぞれ算出した結果に基づいて、自由エネルギー変化（ΔＧ）が２９８ｋｃａｌ／ｍｏｌ以下を満たし、かつ露光を行う波長をλ［ｎｍ］とし、λ±１０ｎｍの範囲におけるモル吸光係数をεとするとき、酸とアニオンがともにεが２００００L/(mol cm)以下を満たす化合物を化合物群から選別する工程とを含むことを特徴とする。【００１２】
本発明の第２の観点は、第１の観点に基づく発明であって、更に酸解離反応の自由エネルギー変化（ΔＧ）の算出が、最安定構造の化合物群のそれぞれのアニオン（Ａ-）及びその酸（ＨＡ）に対して基準振動解析を行って自由エネルギーＧ（Ａ-）及びＧ（ＨＡ）を算出し、算出したＧ（Ａ-）及びＧ（ＨＡ）と、水素イオン（Ｈ+）の自由エネルギーＧ（Ｈ+）から、次の式（１）に示す式を用いて酸解離反応の自由エネルギー変化ΔＧを求めることにより行われることを特徴とする。【００１３】
ΔＧ ＝ ［Ｇ（Ｈ+） ＋ Ｇ（Ａ-）］ − Ｇ（ＨＡ）       （１）
本発明の第３の観点は、第１の観点に基づく発明であって、更に吸収特性評価による吸収スペクトルの算出が、最安定構造の化合物群のそれぞれのアニオン（Ａ-）及びその酸（ＨＡ）に対して励起状態の計算を行って分子の吸収が起こる波長とその吸収における振動子強度を算出し、算出した吸収波長と振動子強度から、次の式（２）に示す式を用いて吸収スペクトルへの変換を行うことにより行われることを特徴とする。【００１４】
【数１】
2012132529.tif 000003
但し、上記式（２）中の、εｎ（λ）はｎ番目の吸収におけるモル吸光係数であり、ｆｎはｎ番目の吸収における振動子強度であり、λｎはｎ番目における吸収の吸収波長であって、前記励起状態計算から算出される値である。ここでｎは最も長波長の吸収を１番目として数える。また、ｈはプランク定数であり、ｃは光速である。また、α＝２．２３×１０-24、δ＝０．３３である。【００１５】
本発明の第４の観点は、第１の観点に基づく発明であって、更にアニオン群がフッ素を含んでいることを特徴とする。【００１６】
本発明の第５の観点は、第１の観点に基づく発明であって、更にアニオン群が置換基を導入し易い基を有していることを特徴とする。【００１７】
本発明の第６の観点は、第１ないし第５の観点に基づくスクリーニング方法を用いてアニオン群から選別されたアニオンと、Ｌｉ，Ｎａ又はＫから選ばれた金属とから構成される化合物の製造方法である。【００１８】
本発明の第７の観点は、第１ないし第５の観点に基づくスクリーニング方法を用いてアニオン群から選別されたアニオンと、Ｌｉ，Ｎａ又はＫから選ばれた金属とから構成された光酸発生剤の前駆体である金属塩である。【００１９】
本発明の第８の観点は、第１ないし第５の観点に基づくスクリーニング方法を用いてアニオン群から選別されたアニオン及びその酸から構成された光酸発生剤の前駆体である塩である。
【発明の効果】
【００２０】
本発明のアニオンのスクリーニング方法では、ＰＡＧの構成要素となりうるアニオン群から、フォトレジスト工程において、露光後ＰＡＧより発生した酸が、レジスト材料と反応するのに十分な酸強度を持ち、露光を吸収することがない、適切な化合物を選別することができる。結果として、実験回数を減らすことができるため、時間とコストを抑えて、ＰＡＧを構成するアニオンを効率良く開発することができる。
【図面の簡単な説明】
【００２１】
【図１】本発明のスクリーニング方法における構造最適化工程を示すフロー図である。
【図２】本発明のスクリーニング方法における第１算出工程、第２算出工程及び選別工程を示すフロー図である。
【図３】実施例１，２のアニオンと酸の光吸収スペクトルである。
【図４】実施例３，４のアニオンと酸の光吸収スペクトルである。
【図５】比較例１，２のアニオンと酸の光吸収スペクトルである。
【図６】比較例３のアニオンと酸の光吸収スペクトルである。
【発明を実施するための形態】
【００２２】
次に本発明を実施するための形態を図面に基づいて説明する。
【００２３】
本発明のアニオンのスクリーニング方法は、化学増幅型レジストに使用されるＰＡＧを構成するアニオンを選別するためのスクリーニング方法であり、図１に示す構造最適化工程と、図２に示す第１算出工程、第２算出工程及び選別する工程とを含むことを特徴とする。上記工程を経ることにより、ＰＡＧの構成要素となりうるアニオン群から、フォトレジスト工程において、露光後ＰＡＧより発生した酸が、レジスト材料と反応するのに十分な酸強度を持ち、露光を吸収することがない、適切な化合物を選別することができる。結果として、実験回数を減らすことができるため、時間とコストを抑えて、ＰＡＧを構成するアニオンを効率良く開発することができる。
＜構造最適化工程＞
先ず、光酸発生剤の構成要素となりうるアニオン群について、アニオンとその酸からなる化合物群に対して図１に示すようなフローで分子軌道（Molecular Orbital；ＭＯ）計算を用い、化合物群の最安定構造を求める。
【００２４】
ＰＡＧの構成要素となりうるアニオン群としては、フッ素を含んでいるアニオンを用意することが好適である。このようなフッ素含有化合物としては、有機化合物の電解フッ素化を行うことで得られる化合物が好適である。有機化合物の電解フッ素化は、例えば、電解槽に有機化合物、電解液及びフッ素化不活性溶媒を共存させ、電解反応することにより行われる。
【００２５】
また、アニオン群が置換基を導入し易い基を有していることが好適である。置換しやすい官能基としては、ヒドロキシ基、エーテル基、カルボニル基、カルボキシ基、エステル基、アミノ基、スルホ基、スルホニル基が挙げられる。
【００２６】
最安定構造を求める際に使用する分子軌道計算とは、対象分子におけるシュレーディンガーの波動方程式の近似解法であり、この解より電子状態に起因するエネルギーや分子の性質を予測するものである。
【００２７】
この構造最適化工程での分子軌道計算には、半経験的分子軌道法、非経験的分子軌道法、更には密度汎関数法（Density Functional Theory；ＤＦＴ）を用いてもよい。半経験的分子軌道法としてはＰＰＰ（Pariser-Parr-Pople）法、ＩＮＤＯ（Intermediate Neglect of Differential Overlap）法、ＡＭ１（Austin Model 1）法、ＰＭ３（Parametric Method 3）法等が挙げられる。非経験的分子軌道法としてはＨＦ（Hertree-Fock）法、ＭＰｎ（Moller-Plesset）法（ｎ＝２，３，４，……）、ＣＩ（Configuration interaction）法等が挙げられる。密度汎関数法としては、Ｂ３ＬＹＰ、ＰＢＥＰＢＥ法等が挙げられる。その中でも非経験的分子軌道法ではＭＰ２法、密度汎関数法ではＢ３ＬＹＰ法が好ましい。また、基底関数については、分極関数を含んだものを用いるのがよく、例えば６−３１１＋Ｇ（ｄ，ｐ）やａｕｇ−ｃｃ−ｐｖＤｚ等がある。また、この分子軌道計算には、ＧａｕｓｓｉａｎやＧＡＭＥＳＳ等のプログラムが使用される。
【００２８】
具体的には、先ず、アニオンとその酸からなる化合物群について、分子の初期構造をそれぞれ入力し、構造の最適化計算を行う。計算が収束していない場合、再度構造の最適化計算を行う。次に、収束した計算結果を基に基準振動解析を行い、負の振動数を持っていないことを確認する。負の振動数を持っている場合は、再び初期構造の入力に戻り、負の振動数を持っていない場合は、その結果を最適化構造とする。なお、最適化構造は計算の入力条件である初期構造に依存する。従って、幾つかの初期構造で最適化構造を複数求め、最もエネルギーが安定なものを選択し、これを最安定構造とする。
＜第１算出工程＞
次いで、最安定構造の化合物群に対して図２に示すようなフローで基準振動解析を行い、それぞれの酸解離反応の自由エネルギー変化（ΔＧ）を算出する。この第１算出工程で酸解離反応の自由エネルギー変化（ΔＧ）を算出するのは、化学増幅型レジストで使用されるＰＡＧに要求される特性として、露光により発生する酸の酸性度があり、この発生酸の酸性度は、酸分解の反応に関わり、酸性度が低いと酸分解が有効に進行せず、画像形成が不良となるためである。
【００２９】
酸解離反応の自由エネルギー変化（ΔＧ）の算出は、先ず、最安定構造の化合物群のそれぞれのアニオン（Ａ-）及びその酸（ＨＡ）に対して基準振動解析を行って自由エネルギーＧ（Ａ-）及びＧ（ＨＡ）を算出する。ここでの基準振動解析は、上記構造最適化工程で行われる計算手法と同じ計算手法を用いる必要がある。通常、上記構造最適化工程で行われる負の振動数を持っていないか調べるための基準振動解析の計算で、自由エネルギーの計算結果は得られる。なお、自由エネルギーを求める際の温度及び圧力は２５℃、１ａｔｍとする。
【００３０】
次に、算出したＧ（Ａ-）及びＧ（ＨＡ）と、水素イオン（Ｈ+）の自由エネルギーＧ（Ｈ+）から、次の式（１）に示す式を用いて酸解離反応の自由エネルギー変化ΔＧを算出する。Ｈ+の自由エネルギーは−６．２７ｋｃａｌ／ｍｏｌとする。
【００３１】
ＨＡ  ⇔  Ｈ+ ＋ Ａ-
ΔＧ ＝ ［Ｇ（Ｈ+） ＋ Ｇ（Ａ-）］ − Ｇ（ＨＡ）      （１）
算出したΔＧは、酸（ＨＡ）の脱プロトン時のギブズの自由エネルギー変化であり、気相中での酸（ＨＡ）の酸性度を示す。このΔＧの値が小さいほどプロトンの解離が起こり易い。つまり、酸（ＨＡ）の酸性度が高いことを示している。
【００３２】
なお、全電子エネルギーのみを上記構造最適化工程やこの第１算出工程の自由エネルギー算出で用いた計算手法よりも、精度の高い計算手法を用いることも可能である。
＜第２算出工程＞
次に、最安定構造の化合物群に対して図２に示すようなフローで吸収特性評価を行い、化合物群の吸収スペクトルを算出する。この第２算出工程で化合物群の吸収スペクトルを算出するのは、化学増幅型レジストで使用されるＰＡＧに要求される特性として酸発生効率（光吸収効率）があり、この酸発生効率（光吸収効率）は、樹脂の酸分解性保護基を分解するのに必要な有効酸量に関わり、レジスト感度に直接反映されるためである。効率良く酸が発生する、即ち光の利用率を高めるためには、ＰＡＧが適度な吸収度を示し、発生する酸は光を吸収しない方が良い。
【００３３】
吸収特性評価による吸収スペクトルの算出は、上記最安定構造の化合物群について、それぞれのアニオン（Ａ-）及びその酸（ＨＡ）に対して励起状態の計算を行う。この計算により、分子の吸収が起こる波長とその吸収における振動子強度が算出される。
【００３４】
励起状態計算としては現在の計算機の性能を考えると、時間依存（Time-dependent；ＴＤ）法が適しているが、その他の方法、例えば、ＭＣＱＤＰＴ（Multi configurational quasi-degenerate perturbation theory）法やＭＳ−ＣＡＳＰＴ２法、ＭＲＭＰ２法等を用いることも可能である。なお、励起状態計算は、対象としている波長領域が十分にカバーされるように計算する必要がある。
【００３５】
次に、算出した吸収波長と振動子強度から、次の式（２）に示す式を用いて吸収スペクトルへの変換を行う。
【００３６】
【数２】
2012132529.tif 000004
但し、上記式（２）中の、εｎ（λ）はｎ番目の吸収におけるモル吸光係数であり、ｆｎはｎ番目の吸収における振動子強度であり、λｎはｎ番目における吸収の吸収波長であって、ＭＯやＤＦＴ等の励起状態計算から算出される値である。ここでｎは最も長波長の吸収を１番目として数える。また、ｈはプランク定数であり、ｃは光速である。また、α＝２．２３×１０-24、δ＝０．３３である。
【００３７】
より具体的には、励起状態計算よりあるｎに対して、１組のλｎとｆｎが求められる。あるｎに対応するλｎとｆｎを式（２）に代入し、ｈ、ｃ、δも合わせて代入する。λは、注目している波長を十分にカバーする範囲で設定し、設定した範囲で細かく分割する。そのように決められたλに対してεｎ（λ）を決定する。その作業を全てのｎに対して繰り返し行う。求められた全てのεｎ（λ）について、λごとにεｎ（λ）を全て足し込む。そうすると、λに対するモル吸光係数εの関係が得られ、吸収スペクトルの変換を行うことができる。得られるモル吸光係数の単位はL/(mol cm)である。
【００３８】
なお、計算手法によっては、数十ｎｍほど吸収ピークにシフトが起こる可能性がある。そのため、類似構造の化合物で吸収スペクトルを測定し、計算に用いようとする計算手法との比較を行い、その差を前もって見積もっておき、その差を考慮して吸収の評価を行うと、より効果的なスクリーニングが可能である。
＜算出する工程＞
更に、図２に示すように、第１及び第２算出工程でそれぞれ算出した結果に基づいて、自由エネルギー変化（ΔＧ）が２９８ｋｃａｌ／ｍｏｌ以下を満たし、かつ露光を行う波長をλ［ｎｍ］とし、λ±１０ｎｍの範囲におけるモル吸光係数をεとするとき、酸とアニオンがともにεが２００００L/(mol cm)以下を満たす化合物を化合物群から選別する。このモル吸光係数εの選別条件で、露光を行う波長の前後に幅を持たせているのは、上記第２算出工程で述べたが、計算手法によっては、数十ｎｍほど吸収ピークにシフトが起こる可能性があるためである。
【００３９】
ここで、第１算出工程から算出されたΔＧについて、選別条件を２９８ｋｃａｌ／ｍｏｌ以下を満たすこととしたのは、ΔＧが上記数値を越えると、発生酸の酸強度が、レジスト樹脂中の官能基の極性変化や架橋反応が十分に起こらず、目的の微細加工が行えないためである。また、第２算出工程から算出された光吸収スペクトルについて、選別条件を酸とアニオンがともにモル吸光係数εが２００００ L/(mol cm)以下を満たすこととしたのは、モル吸光係数εが上記数値を越えると、アニオンが露光を吸収してしまい、ＰＡＧから効率よく酸が発生することができないためである。
【００４０】
なお、用意した化合物群の全てが選別から外れてしまった場合は、異なる化合物で再度スクリーニングを行うこととなる。
【実施例】
【００４１】
次に本発明の実施例を比較例とともに詳しく説明する。【００４２】
＜実施例１〜４，比較例１〜３＞
・構造最適化工程と第１算出工程
先ず、光酸発生剤の構成要素となりうるアニオン群として、次の表１に示す化合物を用意した。【００４３】
次いで、用意したアニオン群について、アニオンとその酸からなる化合物群に対してＧａｕｓｓｉａｎ０９プログラムによりＢ３ＬＹＰ／６−３１１＋Ｇ（ｄ，ｐ）を用いて、初期構造を幾つか変えて、構造の最適化計算、基準振動解析を行い、更に、負の振動数を持たないか確認した上で、最適化構造を数種求めた。その中でエネルギーの最も安定な構造を選択し、これを最安定構造とした。【００４４】
次に、最安定構造の化合物群に対して、それらの構造の基準振動解析結果より得られる自由エネルギーと上記式（１）を用いて気相酸性度ΔＧを求めた。なお、Ｈ+の自由エネルギーは−６．２７ｋｃａｌ／ｍｏｌとした。【００４５】
また、幾つかの実施例，比較例については、上記Ｂ３ＬＹＰ／６−３１１＋Ｇ（ｄ，ｐ）以外の方法（ＨＦ／６−３１１＋Ｇ（ｄ，ｐ）とＭＰ２／ａｕｇ−ｃｃ−ｐｖＤｚ）を用いて気相酸性度ΔＧを求めた。それらの結果を表１に示す。
【００４６】
【表１】
2012132529.tif 000005
・第２算出工程
次に、上記最安定構造の化合物群のアニオンと酸に対して吸収特性評価を行い、化合物群の吸収スペクトルを算出した。なお、最安定構造はＢ３ＬＹＰ／６−３１１＋Ｇ（ｄ，ｐ）により求められた構造を用いた。吸収波長と振動子強度の算出で行われた励起状態の計算は、ＴＤ法を用いてＴＤ−Ｂ３ＬＹＰ／６−３１１＋Ｇ（ｄ，ｐ）により行った。算出された吸収波長と振動子強度を基に上記式（２）に示す式を用いて吸収スペクトルへの変換を行った。【００４７】
なお、Ｇａｕｓｓｉａｎでは計算する励起状態の数を指定する必要がある（ｎｓｔａｔｅキーワード）が、ここではＡｒＦエキシマレーザーリソグラフィーでのＰＡＧとして用いることを考え、対象とする１９３ｎｍの領域が十分に計算されるように、比較例３では７５を指定し、それ以外は５０を指定して計算を行った。Ｇａｕｓｓｉａｎ０９より得られた吸収波長と振動子強度の結果を上記式（２）を用いてスペクトル形状に変換してスペクトルを得た。ここで、スペクトル変換時のλは、０〜４００ｎｍの範囲で０．５ｎｍ刻みで計算した。実施例１〜４及び比較例１〜３のアニオンと酸の光吸収スペクトルを図３〜図６に示す。
・選別する工程
次に上記第１算出工程及び第２算出工程でそれぞれ算出した結果に基づいて化合物群の選別を行った。選別条件は、気相酸性度ΔＧが２９８ｋｃａｌ／ｍｏｌ以下、露光波長λ±１０ｎｍの範囲におけるモル吸光係数εが２００００L/(mol cm)以下である。なお、ここではＡｒＦエキシマレーザーリソグラフィーでのＰＡＧとして用いることを考え、露光波長λを１９３ｎｍに設定した。その結果を次の表２に示す。【００４８】
【表２】
2012132529.tif 000006
表２から明らかなように、実施例１〜４の化合物は、気相酸性度ΔＧが２９８ｋｃａｌ／ｍｏｌ以下と選別条件を満たしており、プロトンの解離が起こりやすい高い酸性度を示すことが期待される。また、実施例１〜４の化合物は、露光波長１９３ｎｍ±１０ｎｍの範囲におけるモル吸光係数εが２００００L/(mol cm)以下と選別条件を満たしており、酸発生効率に関わる吸収特性について優れることが期待される。【００４９】
一方、比較例１，２の化合物ではモル吸光係数εの選別条件は満たしているが、気相酸性度ΔＧが選別条件を満たしておらず、十分な酸強度を示していないため、これらの化合物をＰＡＧとして使用した場合、感度が悪く、画像形成が不良になるおそれがある。また、比較例３の化合物では気相酸性度ΔＧの選別条件は満たしているが、モル吸光係数εが選別条件を満たしておらず、酸発生効率に劣り、この化合物をＰＡＧとして使用した場合、十分な解像度を示さないおそれがある。
・レジストにおける性能評価
次に、スクリーニングしたアニオン分子のうち、実施例３のＣ4Ｆ9ＳＯ3Ｈ（以下、ＰＡＧ−１という。）及び比較例２の１０−カンファースルホン酸（以下、ＰＡＧ−２という。）をそれぞれＰＡＧとして用いてポジ型フォトレジスト組成物を調製した後、レジストパターンを形成して評価した。【００５０】
なおフォトレジスト組成物の調製では、樹脂にはＡｒＦレジストで一般的に用いられる２−アルキル−２−アダマンチル（メタ）アクリレートを、含窒素有機化合物にはトリエタノールアミンを、有機溶剤にはプロピレングリコールモノメチルエーテルアセテート（ＰＧＭＥＡ）を用いた。【００５１】
またレジストパターン形成では、先ず、反射防止膜（Ｂｒｅｗｅｒ  Ｓｃｉｅｎｃｅ社製；ＡＲＣ２９）を塗布したシリコンウェハーを基板として用意し、この基板上に上記調製したレジスト組成物をスピンコートにより塗布し、１００℃／６０秒でプレベークして、乾燥させることにより、膜厚３００ｎｍのレジスト膜を形成した。次いで、露光機にはＡｒＦ露光装置（Ｎｉｋｏｎ社製；ＮＲＳ−Ｓ３０２）を用い、ＡｒＦエキシマレーザーを照射してマスクを介して選択的に露光した。そして、露光後、１００℃／６０秒で加熱し、更に、２５℃にて現像液ＺＴＭＡ１００−５Ｌ（日本ゼオン社製）で３０秒間現像し、その後、純水でリンスし、乾燥を行うことで、１１０ｎｍのラインパターンを有するレジストパターンを形成した。【００５２】
また性能評価は、形成したラインパターンをＳＥＭ観察することにより行った。【００５３】
ＰＡＧ−１を導入したレジストでは良好な解像度が得られるのに対し、ＰＡＧ−２を導入したレジストでは十分な解像度が得られていないことが確認された。つまり、「ΔＧ≦２９８ｋｃａｌ／ｍｏｌ」と「ε≦２００００L/(mol cm)（１９３±１０ｎｍ）」の選別条件でスクリーニングした実施例３のＣ4Ｆ9ＳＯ3ＨはＰＡＧとして優れたレジスト特性を示し、条件を満たさない比較例２の１０−カンファースルホン酸はＰＡＧとして十分なレジスト特性を示さないことが判った。【００５４】
以上、本発明のスクリーニング方法により、最安定構造の化合物群から自由エネルギー変化ΔＧを算出し、吸収スペクトルを算出し、選別条件を満たす化合物をアニオン群から選別することで、ＰＡＧに適したアニオン分子を効率よく開発・製造することができることが確認された。【００５５】
なお、実施例３のＣ4Ｆ9ＳＯ3Ｈは、２４３ｎｍにおいてもモル吸光係数εが小さく、酸性度も十分であるのでＫｒＦエキシマレーザーリソグラフィーでの光酸発生剤の構成要素で用いることも可能である。
【産業上の利用可能性】
【００５６】
本発明のアニオンのスクリーニング方法は、微細加工工程の化学増幅型レジストに使用される光酸発生剤を構成するアニオン分子を効率良く開発・製造する際に利用できる。
【図１】
2012132529.tif 000008
【図２】
2012132529.tif 000009
【図３】
2012132529.tif 000010
【図４】
2012132529.tif 000011
【図５】
2012132529.tif 000012
【図６】
2012132529.tif 000013
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
化学増幅型レジストに使用される光酸発生剤を構成するアニオンを選別するためのスクリーニング方法であって、
前記光酸発生剤の構成要素となりうるアニオン群について、アニオンとその酸からなる化合物群に対して分子軌道計算を用い、前記化合物群の最安定構造を求める構造最適化工程と、
前記最安定構造の化合物群に対して基準振動解析を行い、それぞれの酸解離反応の自由エネルギー変化（ΔＧ）を算出する第１算出工程と、
前記最安定構造の化合物群に対して吸収特性評価を行い、前記化合物群の吸収スペクトルを算出する第２算出工程と、
前記第１及び第２算出工程でそれぞれ算出した結果に基づいて、自由エネルギー変化（ΔＧ）が２９８ｋｃａｌ／ｍｏｌ以下を満たし、かつ露光を行う波長をλ［ｎｍ］とし、λ±１０ｎｍの範囲におけるモル吸収係数をεとするとき、酸とアニオンがともにεが２００００L/(mol cm)以下を満たす化合物を前記化合物群から選別する工程と
を含むことを特徴とするアニオンのスクリーニング方法。
【請求項２】
前記酸解離反応の自由エネルギー変化（ΔＧ）の算出が、
前記最安定構造の化合物群のそれぞれのアニオン（Ａ-）及びその酸（ＨＡ）に対して基準振動解析を行って自由エネルギーＧ（Ａ-）及びＧ（ＨＡ）を算出し、
前記算出したＧ（Ａ-）及びＧ（ＨＡ）と、水素イオン（Ｈ+）の自由エネルギーＧ（Ｈ+）から、次の式（１）に示す式を用いて酸解離反応の自由エネルギー変化ΔＧを求めることにより行われる請求項１記載のスクリーニング方法。
ΔＧ ＝ ［Ｇ（Ｈ+） ＋ Ｇ（Ａ-）］ − Ｇ（ＨＡ）            （１）
【請求項３】
前記吸収特性評価による吸収スペクトルの算出が、
前記最安定構造の化合物群のそれぞれのアニオン（Ａ-）及びその酸（ＨＡ）に対して励起状態の計算を行って分子の吸収が起こる波長とその吸収における振動子強度を算出し、
前記算出した吸収波長と振動子強度から、次の式（２）に示す式を用いて吸収スペクトルへの変換を行うことにより行われる請求項１記載のスクリーニング方法。
【数１】
2012132529.tif 000014
但し、上記式（２）中の、εｎ（λ）はｎ番目の吸収におけるモル吸収係数であり、ｆｎはｎ番目の吸収における振動子強度であり、λｎはｎ番目における吸収の吸収波長であって、前記励起状態計算から算出される値である。ここでｎは最も長波長の吸収を１番目として数える。また、ｈはプランク定数であり、ｃは光速である。また、α＝２．２３×１０-24、δ＝０．３３である。
【請求項４】
前記アニオン群がフッ素を含んでいる請求項１記載のスクリーニング方法。
【請求項５】
前記アニオン群が置換基を導入し易い基を有している請求項１記載のスクリーニング方法。
【請求項６】
請求項１ないし５いずれか１項に記載のスクリーニング方法を用いて前記アニオン群から選別されたアニオンと、Ｌｉ，Ｎａ又はＫから選ばれた金属とから構成される化合物の製造方法。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【国際調査報告】
2012132529.tif 000015
2012132529.tif 000016
2012132529.tif 000017
2012132529.tif 000018
2012132529.tif 000019
2012132529.tif 000020
2012132529.tif 000021
2012132529.tif 000022